(57)【要約】【課題】  確実に携帯電話機をマナーモードにモード変更して、携帯電話機による通話が好ましくない場所での通話を制限し、第三者へ迷惑がかかることを防止する。【解決手段】  携帯電話機のモードを変更するモード切替信号を送信する送信機１と、携帯電話機に搭載され、モード切替信号に基づいてモード変更、及びモード復帰する受信機２とを備えるモード制御装置１００により達成される。受信機２は、携帯電話機のモードの変更、及びモード復帰を制御する制御部２４とモード復帰までのタイマー計測をするタイマー部２３とを備え、制御部２３は、モード切替信号に基づき携帯電話機のモード変更を行うとともにタイマー部２３へのタイマー時間の設定及びタイマー計測を開始し、タイマー部２３のタイマー計測終了信号により携帯電話機のモード復帰する。【選択図】          図１
2006101045.tif 000002
【特許請求の範囲】
【請求項１】
電子機器のモードを変更するモード切替信号を送信する送信機と、
前記電子機器に搭載され、前記モード切替信号に基づいて前記電子機器をモード変更、及びモード復帰する受信機とを備えるモード制御装置において、
前記受信機は、前記電子機器のモードの変更、及びモード復帰を制御する制御部と、
前記モード復帰までのタイマー計測をするタイマー部とを備え、
前記制御部は、前記モード切替信号に基づき前記電子機器のモード変更を行うとともに前記タイマー部へのタイマー時間の設定及びタイマー計測を開始し、
前記タイマー部の前記タイマー計測終了信号により前記電子機器をモード復帰することを特徴とする電子機器のモード制御装置。
【請求項２】
前記モード切替信号は、前記電子機器のモードを設定するモード設定信号と、前記電子機器のモードの変更から復帰までの時間情報を含んでおり、前記制御部は前記モード設定信号に基づき前記電子機器のモードを変更するとともに前記時間情報により前記タイマー部のタイマー時間の設定をすることを特徴とする請求項１に記載の電子機器のモード制御装置。
【請求項３】
前記送信機は、前記モード切替信号を所定休止時間を有して間欠送信することを特徴とする請求項１乃至２のいずれか１項記載の電子機器のモード制御装置。
【請求項４】
前記制御部は、前記タイマー部のタイマー計測期間内に前記モード切替信号を再受信したかどうかを監視し、前記タイマー計測期間内に再受信したときにはタイマー時間の再設定することを特徴とする請求項１乃至３のいずれか１項記載の電子機器のモード制御装置。
【請求項５】
前記モード切替信号の前記時間情報は、前記所定休止時間よりも長時間に設定されていることを特徴とする請求項３に記載の電子機器のモード制御装置。
【請求項６】
前記電子機器は携帯端末機であることを特徴とする請求項１乃至５のいずれか１項記載の電子機器のモード制御装置。
【請求項７】
携帯電話機を通常モードからマナーモードに変更するモード制御システムであって
前記携帯電話機に搭載される受信機と、
所定の場所に単数又は複数個設置され、前記携帯電話機を通常モードからマナーモードに変更するマナーモード切替信号を送信する送信機を備え、
前記受信機は、前記携帯電話機が前記送信機の前記マナーモード切替信号送信可能な特定範囲内に入場したときには、前記マナーモード切替信号に基づきマナーモードに自動変更し、前記携帯電話機が前記特定範囲内から退場したときには、所定時間経過後に自動的に通常モードに変更されることを特徴とするマナーモード制御システム。
【発明の詳細な説明】
【技術分野】
【０００１】
本発明は、電子機器のモード制御装置に関し、携帯端末、特に携帯電話機において、携帯電話機による通話が好ましくない場所での通話を制限することができる電子機器のモード制御装置及び電子機器のモード制御システムに関するものである。
【背景技術】
【０００２】
近年、携帯電話機の普及が著しく日本人口の約七割が携帯電話機を所有しており、我々の生活の中に欠かせない必需品となってきている。携帯電話機は、通話の他に電子メールの受送信やインターネットによりウェブサイト等の閲覧が可能であり、通話や電子メールの着信があるとブザーやメロディ等の着信音より使用者に着信を知らせるものである。また、インターネットによりウェブサイトに接続した際、ウェブサイト上に音楽ファイルが添付されている場合には、携帯電話機でその音楽ファイルが再生されて視覚のみならず聴覚でもウェブサイトを楽しむことができるものもある。
【０００３】
ところで、電車内や映画館、コンサート会場等、携帯電話機の使用が好ましくない場所では着信音を消音し、例えばバイブレータ等によって着信を知らせるマナーモードや、または携帯電話機の電源をオフし携帯電話機を使用しない状態とすることが常識となりつつあり、電車内、映画館、コンサート会場等では携帯電話機のマナーモード設定や電源オフが呼びかけられている。しかしながら、携帯電話機のマナーモード設定や電源オフは、携帯電話機使用者の主体性に頼るのが現状であり、実際のところ守られていない場合が少なくないという問題がある。
【０００４】
上記問題を解決するにあたり、例えば特開２００２−１６５２６５号によれば、駅や映画館等の入口に入場管理装置を設けて、構内入出場の際は、携帯電話使用者が入場管理装置を通過することにより自動的に携帯電話を通話不能状態へのモード変更、または通話可能状態への復帰を行って、第三者へ迷惑がかかることを防止している。
【特許文献１】特開２００２−１６５２６５号公報
【発明の開示】
【発明が解決しようとする課題】
【０００５】
しかしながら、特開２００２−１６５２６５号の方法によれば、映画館やコンサート会場等の多数の来客があるような場所で入場管理装置のように入場ゲートを設けることは効率的でなく、特定の信号により通話不能状態から通話可能状態の復帰が行われるような場合には、入場ゲートを通過しないで出場すると携帯電話機の通話可能状態への復帰ができないことなる。また、出入口の全てに入場ゲートを設けるようなことは、マナーモードの設定及び解除を行うためだけに大きなコストがかかってしまうため現実的でない。
【０００６】
本発明は、上記問題に鑑みてなされたものであり、第三者へ迷惑がかかることを防止できるよう、確実に携帯電話機をマナーモードにモード変更できるものである。
【課題を解決するための手段】
【０００７】
本発明によれば、電子機器のモードを変更するモード切替信号を送信する送信機と、前記電子機器に搭載され、前記モード切替信号に基づいて前記電子機器をモード変更、及びモード復帰する受信機とを備えるモード制御装置において、前記受信機は、前記電子機器のモードの変更、及びモード復帰を制御する制御部と、前記モード復帰までのタイマー計測をするタイマー部とを備え、前記制御部は、前記モード切替信号に基づき前記電子機器のモード変更を行うとともに前記タイマー部へのタイマー時間の設定及びタイマー計測を開始し、前記タイマー部の前記タイマー計測終了信号により前記電子機器をモード復帰することを特徴とする。
【発明の効果】
【０００８】
本発明によれば、確実に携帯電話機をマナーモードにモード変更して、携帯電話機による通話が好ましくない場所での通話を制限することができて、第三者へ迷惑がかかることを防止できるものである。また、マナーモード設定のための入場ゲートを設ける必要がないから、マナーモード設定にかかるコストを大幅に削減することができる、さらに、携帯電話使用者は、自動的にマナーモードに設定されるため、入場ゲートのセンサ部に携帯電話を近づけるという煩わしさがない。
【発明を実施するための最良の形態】
【０００９】
以下、図面を参照して本発明の実施携帯について詳細に説明する。
【００１０】
図１を参照して、本発明の一実施例のモード制御装置１００について説明する。送信機１は、例えば電車内、コンサートホール内、映画館上映ホール内の所定の位置に単数又は複数個設置され、アンテナ１１から携帯電話機のマナーモード切替信号を一定周期で間欠的に無線送信している。尚、マナーモード切替信号送信の間欠周期は任意に設定できるものとする。送信機１はブロードキャスト送信することにより送信機１の周辺の特定範囲内に存在する受信機２のすべてにマナーモード切替信号を送信することができる。
【００１１】
次に図２を参照し送信機１の動作について説明する。送信機１は、Ｓ１−１で携帯電話機のマナーモード切替信号を送信する。マナーモード切替信号の送信を完了した後、Ｓ１−２でＷａｉｔ時間が設けられて所定時間マナーモード切替信号の送信を停止する。ここでＷａｉｔ時間は任意に設定可能であるが、例えば、電車等、途中でモードを変化させる必要がないものは２〜５分の間隔で、劇場／コンサート会場等、マナーモードへの移行を速やかに行いたい場所では１０〜３０秒間隔でマナーモード切替信号を停止させるようにしてもよい。また、Ｗａｉｔ時間をさらに短く設定することで即時マナーモード解除ができるから、マナーモードに切り替えられる範囲の中に通常モード使用可能となる特定範囲を作ることもできる。
【００１２】
Ｓ１−２のＷａｉｔ時間経過後、再びマナーモード切替信号を送信する。上記が繰り返し行われることによりマナーモード切替信号の間欠送信が行われる。また、マナーモード切替信号には、後述するＴｉｍｅｏｕｔ値の情報が含まれており、受信機２はＴｉｍｅｏｕｔ値に含まれる時間情報に基づいて自動的にマナーモードから通常モードへ復帰する。
【００１３】
次に図１を参照して受信機２について詳細を説明する。受信機２は、携帯電話機内に搭載されており、アンテナ部２１、近距離無線装置２２、タイマー部２３、制御部２４、携帯電話機回路２５から構成される。
【００１４】
近距離無線装置２２は、アンテナ部２１で送信機１から送信されるマナーモード切替信号を受信し、マナーモード切替信号内のマナーモード設定信号とＴｉｍｅｏｕｔ値を制御部２４へ送信する。
【００１５】
制御部２４は、近距離無線装置２２からのマナーモード設定信号を携帯電話機回路に送信して携帯電話機をマナーモードにモード変更を行い、Ｔｉｍｅｏｕｔ値によりタイマー部２３のタイマー時間の設定とタイマー計測を開始する。Ｔｉｍｅｏｕｔ値には携帯電話本体のマナーモード設定から通常モード自動復帰までの時間情報が設定されており、タイマー部２３はタイマー計測が終了すると制御部２４へ計測終了信号を送信する。制御部２４は計測終了信号を受信するとマナーモード解除信号を携帯電話機回路２５へ送信して携帯電話機本体のモードを、マナーモードから通常モードへモード変更する。
【００１６】
図３を参照して受信機２の動作について説明する。受信機２は、Ｓ２−１で送信機１からのマナーモード切替信号を受信すると、Ｓ２−２で携帯電話機本体のモードをマナーモードに移行する。次にＳ２−３でマナーモード切替信号に含まれるＴｉｍｅｏｕｔ値の時間情報に基づきタイマー部２３にタイマー時間が設定されタイマー計測が開始される、尚、Ｔｉｍｅｏｕｔ値の時間情報は、携帯電話機本体のマナーモードからモード変更されて通常モードへの復帰する復帰時間である。
【００１７】
タイマー計測開始後、Ｓ２−４でマナーモード切替信号を再受信したかどうか判定する。再受信した場合には、受信したＴｉｍｅｏｕｔ値をタイマー部２３に再設定し初期状態からタイマー計測が行われる。マナーモード切替信号を受信しなかった場合は、Ｓ２−５でタイマー計測が終了したかどうかを判定する。
【００１８】
Ｓ２−５のタイマー計測が終了していなければＳ２−４へ戻り、再度マナーモード切替信号を受信したかどうかを判定する。タイマー計測終了までマナーモード切替信号の受信を監視し、受信しなければＳ２−６で携帯電話本体をマナーモードから通常モードへ移行する。ここでＴｉｍｅｏｕｔ値に設定される復帰時間は、送信機１のＷａｉｔ時間よりも長く設定されており、マナーモード切替信号を受信し得る場所に携帯電話使用者がいる場合は、タイマー部２３の復帰時間が経過する前に復帰時間が初期状態に再設定されるため、途切れることなくマナーモードが継続する。
【００１９】
図４を参照して本発明のモード制御装置の使用例について説明する。
【００２０】
携帯電話使用者Ｂ−１〜Ｂ−４は、受信機２が搭載された携帯電話機３−１〜３−４を所持して電車３に搭乗する。電車３内にはマナーモード切替信号が送達可能な特定範囲毎に複数の送信機１が設置され、電車３内すべてにマナーモード切替信号が送信できるようになっている。
【００２１】
送信機１−１は、特定範囲Ａ−１の範囲内でマナーモード切替信号の送信が可能である。送信機１−２は特定範囲Ａ−２の範囲内でマナーモード切替信号の送信が可能である。送信機１−３は特定範囲Ａ−３の範囲内でマナーモード切替信号の送信が可能である。
【００２２】
携帯電話機３−１〜３−４は電車３内に搭乗する前は通常モードに設定されているが、Ｓ１−１のＷａｉｔ時間後にマナーモード切替信号が電車３内に送信されると携帯電話機３−１〜３−４に搭載された受信機２は携帯電話機３−１〜３−４をマナーモードにモード変更する。
【００２３】
図４では、送信機１−１の特定範囲Ａ−１内に携帯電話機使用者Ｂ−１、Ｂ−２、Ｂ−３がいるため、所持する携帯電話機３−１、３−２、３−３は送信機Ａ−１からのマナーモード切替信号を受信して、マナーモードにモード変更される。送信機１−２の特定範囲Ａ−２内に携帯電話機使用者Ｂ−３がいるため、所持する携帯電話機３−３は送信機Ａ−２からのマナーモード切替信号を受信して、マナーモードにモード変更される。
【００２４】
送信機１−３の特定範囲Ａ−３内に携帯電話機使用者Ｂ−４がいるため、所持する携帯電話機３−４は送信機Ａ−３からのマナーモード切替信号を受信して、マナーモードにモード変更される。携帯電話使用者Ｂ−３は、送信機１−１、１−２の両方の特定範囲内におり、受信信号の特性の良いほうを選択してマナーモード切替信号を受信する。
【００２５】
受信機２は、携帯電話機使用者Ｂ−１〜Ｂ−４が電車３に搭乗している期間は、送信機１−１〜１−３からのマナーモード切替信号を受信しつづけるため、たとえ携帯電話使用者Ｂ−１〜Ｂ−４がマナーモードを手動で解除したとしても、間もなく受信されるマナーモード切替信号により再びマナーモードに強制変更される。
【００２６】
携帯電話使用者Ｂ−１〜Ｂ−４が目的の駅に到着し車両から降りると、車両内で送信されていたマナーモード切替信号を受信しなくなるため、車両から降りる直前に受信していたマナーモード切替信号中のＴｉｍｅｏｕｔ値に基づき、復帰時間経過後には自動的にマナーモードから通常モードへの復帰が行われる。したがって、携帯電話使用者は、入場ゲート等に携帯電話機を近づける必要もなく、通話の好ましくない場所では自動的にマナーモードに変更され、通話可能な場所に移動すると自動的に通常モードへモード変更される。
【００２７】
上述では、主に携帯電話機のマナーモード設定について記載したが、これに限定されるものではなくヘッドフォンステレオや携帯型ゲーム機器等、音源を持つ電子機器に適応されるものである。
【００２８】
また、本発明の使用例として主に電車内について記載したが、これに限定されるものではなく、病院や展示会場等の通話の好ましくないとされるすべての場所において適用されるものである。
【図面の簡単な説明】
【００２９】
【図１】本発明の一実施例におけるモード制御装置のブロック図。
【図２】本発明の一実施例におけるモード制御装置の送信機１の動作フローチャート。
【図３】本発明の一実施例におけるモード制御装置の受信機２の動作フローチャート。
【図４】本発明の一実施例におけるモード制御装置の使用例を示す図
【符号の説明】
【００３０】
１００  モード制御装置
１、１−１〜１−３  送信機
１１  アンテナ部
２    受信機
２１  アンテナ部
２２  近距離無線装置
２３  タイマー部
２４  制御部
３  電車
３−１〜３−４  携帯電話機
Ｂ−１〜Ｂ−４  携帯電話機使用者
【図１】
2006101045.tif 000003
【図２】
2006101045.tif 000004
【図３】
2006101045.tif 000005
【図４】
2006101045.tif 000006